(57)【要約】      （修正有）【課題】大型商業施設等の採取対象領域内における人流情報を直感的に把握可能なシステム等を提供する。【解決手段】採取対象領域３内の各所に配置した複数のビーコンから互いに異なるビーコン識別情報を発信する。これを受信した携帯通信機器が、該ビーコン識別情報及び受信時刻、並びに採取対象者識別情報を含む採取データを送信する。サーバが、採取データを受信して蓄積採取データとして蓄積するとともに、要求に応じて、蓄積採取データに基づきエリア間人流情報を作成する。エリア間人流情報は、採取対象者が移動したエリアを表すノード４１を移動した順に並べ、リンク４５にて結んだエリア間人流図データであり、リンク４５の幅は移動人数と比例している。【選択図】図１２
2016212746.tif 000002
【特許請求の範囲】
【請求項１】
複数のエリアを有する採取対象領域内における人流情報を採取して提供する人流情報処理システムであって、
前記採取対象領域内の各所に配置され、互いに異なるビーコン識別情報を発信する複数のビーコンと、
前記ビーコン識別情報を受信した携帯通信機器からの、前記ビーコン識別情報及びその受信時刻、並びに採取対象者識別情報を含む採取データを受信して、蓄積採取データとして蓄積する蓄積手段と、
前記蓄積採取データに基づき、１又は複数の採取対象者のエリア間の移動を判定するとともに、前記エリア間を移動した人数を集計することによって、エリア間人流情報を作成する作成手段と、
を備え、前記エリア間人流情報は、前記採取対象者が移動したエリアを表すノードを移動した順に第１方向へ並べるとともにリンクにて結び、かつ複数の採取対象者が互いに別経路で移動したエリアは、前記ノードを前記第１方向と交差する第２方向に並べて表したエリア間人流図データであり、かつ前記リンクの幅が、当該リンクにて結ばれた２つのノードとそれぞれ対応する移動元のエリアから移動先のエリアへの移動人数と比例していることを特徴とする人流情報処理システム。
【請求項２】
複数のエリアを有する採取対象領域内における人流情報を採取して提供する人流情報処理方法であって、
前記採取対象領域内の各所に配置された複数のビーコンが、互いに異なるビーコン識別情報を発信する工程と、
携帯通信機器が、前記ビーコン識別情報を受信する工程と、
前記携帯通信機器が、前記受信したビーコン識別情報、及びその受信時刻、並びに採取対象者識別情報を含む採取データを送信する工程と、
サーバが、前記採取データを受信して蓄積採取データとして蓄積する工程と、
前記サーバが、前記蓄積採取データに基づき、１又は複数の採取対象者のエリア間の移動を判定するとともに、前記エリア間を移動した人数を集計することによって、エリア間人流情報を作成する工程と、
を備え、前記エリア間人流情報は、前記採取対象者が移動したエリアを表すノードを移動した順に第１方向へ並べるとともにリンクにて結び、かつ複数の採取対象者が互いに別経路で移動したエリアは、前記ノードを前記第１方向と交差する第２方向に並べて表したエリア間人流図データであり、かつ前記リンクの幅が、当該リンクにて結ばれた２つのノードとそれぞれ対応する移動元のエリアから移動先のエリアへの移動人数と比例していることを特徴とする人流情報処理方法。
【請求項３】
複数のエリアを有する採取対象領域内における各所に配置された複数のビーコンが、互いに異なるビーコン識別情報を発信し、前記ビーコン識別情報を受信した携帯通信機器が、前記受信したビーコン識別情報、及びその受信時刻、並びに採取対象者識別情報を含む採取データをサーバへ送信する人流情報処理システムにおける、前記サーバ用のプログラムであって、
前記採取データを受信して蓄積採取データとして蓄積する処理と、
クライアントコンピュータから人流情報の提供要求を受け付ける処理と、
前記提供要求に応じて、前記蓄積採取データに基づき、１又は複数の採取対象者のエリア間の移動を判定するとともに、前記エリア間を移動した人数を集計することによって、エリア間人流情報を作成する処理と、
を前記サーバに実行させ、前記エリア間人流情報は、前記採取対象者が移動したエリアを表すノードを移動した順に第１方向へ並べるとともにリンクにて結び、かつ複数の採取対象者が互いに別経路で移動したエリアは、前記ノードを前記第１方向と交差する第２方向に並べて表したエリア間人流図データであり、かつ前記リンクの幅が、当該リンクにて結ばれた２つのノードとそれぞれ対応する移動元のエリアから移動先のエリアへの移動人数と比例していることを特徴とするプログラム。
【請求項４】
前記作成処理が、前記別経路のエリアを表すノードどうしを、対応するエリアへの流入人数又は対応するエリアからの流出人数の大小順に前記第２方向へ配列する処理を含むことを特徴とする請求項３に記載のプログラム。
【請求項５】
更に、前記クライアントコンピュータから画面上の任意のエリアを指定したエリア指定情報を受け付ける処理と、
前記エリア指定情報の受け付けに応じて、前記蓄積採取データに基づき、１又は複数の採取対象者の前記指定エリア内におけるサブエリア間の移動を判定するとともに、前記サブエリア間を移動した人数を集計することによって、指定エリア内人流情報を作成する処理と、
を前記サーバに実行させ、前記指定エリア内人流情報は、前記採取対象者が移動したサブエリアを表すサブノードを移動した順に前記第１、第２方向のうち一方の方向へ並べるとともにサブリンクにて結び、かつ複数の採取対象者が互いに別経路で移動したサブエリアは、前記サブノードを前記第１、第２方向のうち他方の方向に並べて表した指定エリア内人流図データであり、かつ前記サブリンクの幅が、当該サブリンクにて結ばれた２つのサブノードとそれぞれ対応する移動元のサブエリアから移動先のサブエリアへの移動人数と比例していることを特徴とする請求項３又は４に記載のプログラム。
【請求項６】
前記クライアントコンピュータから画面上の任意のリンクを指定したリンク指定情報を受け付ける処理と、
前記リンク指定情報の受け付けに応じて、前記蓄積採取データに基づき、前記指定リンクと対応する移動元エリアの１又は複数の出入部から、移動先エリアの１又は複数の出入部への、１又は複数の採取対象者の移動を判定するとともに、前記出入部間を移動した人数を集計することによって、指定エリア間人流情報を作成する処理と、
を前記サーバに更に実行させ、前記指定エリア間人流情報は、前記移動元エリアの出入部を表す移動元出入部ノードと、前記移動先エリアの出入部を表す移動先出入部ノードとを前記第１、第２方向のうち一方の方向に離して配置するとともに出入部間リンクにて結び、かつ複数の移動元出入部ノードは前記第１、第２方向のうち他方の方向に並べるとともに複数の移動先出入部ノードは前記他方の方向に並べて表した指定エリア間人流図データであり、かつ前記出入部間リンクの幅が、当該出入部間リンクにて結ばれた２つの出入部ノードとそれぞれ対応する移動元エリアの出入部から移動先エリアの出入部への移動人数と比例していることを特徴とする請求項３〜５の何れか１項に記載のプログラム。
【発明の詳細な説明】
【技術分野】
【０００１】
本発明は、複数のエリアを有する大型商業施設等の採取対象領域内における人流情報の採取、提供等の処理を行うシステム及び方法、並びにプログラムに関する。
【背景技術】
【０００２】
大型商業施設や小売店舗において来店客の行動傾向を把握することは、レイアウトを最適化したり営業活動を進めたりするうえで重要である。
特許文献１のシステムでは、店舗内の複数箇所に発信アンテナ及び受信アンテナからなるアンテナ対が設けられている。これらアンテナ対はコントローラに接続されて制御される。また、買物カゴや買物カートに無線ＩＤタグを設ける。無線ＩＤタグは、各アンテナ対を通過する際に、発信アンテナから発信された電波に応答して、タグ識別情報及びアンテナ識別情報を送信する。この信号を受信アンテナが受信してコントローラに入力する。更に、コントローラが、無線ＬＡＮアクセスポイントを介して処理装置へ送信する。これを処理装置が動線情報として蓄積するとともに、この蓄積された情報に基づいて、店舗レイアウトを表した画像上に各利用客の動きを示す動線を表示する。
【０００３】
特許文献２では、来店客の店舗内での動線の表示方法が提示されている。画面には、店舗レイアウトを表した画像が表示される。来店客の属性情報に応じた動線情報を抽出し、更にその中で最も頻度の高い動線情報を抽出して、上記店舗レイアウトの画像上に表示する。
【先行技術文献】
【特許文献】
【０００４】
【特許文献１】特開２００５−０７１２５２（図７）
【特許文献２】特開２０１４−６７２２５（図４、図５）
【発明の概要】
【発明が解決しようとする課題】
【０００５】
特許文献１、２のシステムは、来店客の個別の動線を表示するものであり、来店客のうちどのくらいの人数がどのような経路で移動しているのかを全体的又は直感的に把握するのは難しい。
【０００６】
上記の事情に鑑み、本発明は、大型商業施設等の採取対象領域内において、どのくらいの人数がどのような経路で移動しているのかの人流情報を全体的又は直感的に把握可能なシステム等を提供することを目的とする。
【課題を解決するための手段】
【０００７】
前記問題点を解決するために、本発明に係るシステムは、複数のエリアを有する採取対象領域内における人流情報を採取して提供する人流情報処理システムであって、
前記採取対象領域内の各所に配置され、互いに異なるビーコン識別情報を発信する複数のビーコンと、
前記ビーコン識別情報を受信した携帯通信機器からの、前記ビーコン識別情報及びその受信時刻、並びに採取対象者識別情報を含む採取データを受信して、蓄積採取データとして蓄積する蓄積手段と、
前記蓄積採取データに基づき、１又は複数の採取対象者のエリア間の移動を判定するとともに、前記エリア間を移動した人数を集計することによって、エリア間人流情報を作成する作成手段と、
を備え、前記エリア間人流情報は、前記採取対象者が移動したエリアを表すノードを移動した順に第１方向へ並べるとともにリンクにて結び、かつ複数の採取対象者が互いに別経路で移動したエリアは、前記ノードを前記第１方向と交差する第２方向に並べて表したエリア間人流図データであり、かつ前記リンクの幅が、当該リンクにて結ばれた２つのノードとそれぞれ対応する移動元のエリアから移動先のエリアへの移動人数と比例していることを特徴とする。
【０００８】
本発明によれば、採取対象者が携帯通信機器を携行して大型商業施設等の採取対象領域内を移動することで、最寄りのビーコンからのビーコン識別情報を前記携帯通信端末にて受信できる。このビーコン識別情報を含む採取データを携帯通信端末からサーバに送信する。サーバに前記蓄積手段や前記作成手段を設けておくことで、蓄積手段に採取データを蓄積して管理できる。採取対象領域の各エリアには、簡素な構造のビーコンを設置するだけでよく、配線や送信装置や管理装置等を設備する必要はない。したがって、システム構築コストを大幅に低減できる。また、採取対象領域において無線ＬＡＮアクセスポイントで個人情報を収集する構成ではないため、盗聴や傍受のおそれを回避できる。そして、例えばクライアントコンピュータからの要求に応じて、作成手段によって前記人流図データを作成する。この人流図データによれば、採取対象領域内において、どのくらいの人数がどのような経路で移動しているのかの人流情報を全体的又は直感的に把握することができる。これによって、各エリアの場所的な価値が明らかになり、マーケッティング戦略を立案したり、レイアウトを検討したりするのに役立てることができる。前記人流図データは二次元の画像であるから、人流情報表示処理のためのシステムが複雑・高価になることはない。
もちろん、システムの構成や価格等の制限のない場合は、3次元画像表示させることで識別性を向上させる等の工夫が可能であることは言うまでもない。
【０００９】
本発明に係る方法は、複数のエリアを有する採取対象領域内における人流情報を採取して提供する人流情報処理方法であって、
前記採取対象領域内の各所に配置された複数のビーコンが、互いに異なるビーコン識別情報を発信する工程と、
携帯通信機器が、前記ビーコン識別情報を受信する工程と、
前記携帯通信機器が、前記受信したビーコン識別情報、及びその受信時刻、並びに採取対象者識別情報を含む採取データを送信する工程と、
サーバが、前記採取データを受信して蓄積採取データとして蓄積する工程と、
前記サーバが、前記蓄積採取データに基づき、１又は複数の採取対象者のエリア間の移動を判定するとともに、前記エリア間を移動した人数を集計することによって、エリア間人流情報を作成する工程と、
を備え、前記エリア間人流情報は、前記採取対象者が移動したエリアを表すノードを移動した順に第１方向へ並べるとともにリンクにて結び、かつ複数の採取対象者が互いに別経路で移動したエリアは、前記ノードを前記第１方向と交差する第２方向に並べて表したエリア間人流図データであり、かつ前記リンクの幅が、当該リンクにて結ばれた２つのノードとそれぞれ対応する移動元のエリアから移動先のエリアへの移動人数と比例していることを特徴とする。
【００１０】
本発明に係るプログラムは、複数のエリアを有する採取対象領域内における各所に配置された複数のビーコンが、互いに異なるビーコン識別情報を発信し、前記ビーコン識別情報を受信した携帯通信機器が、前記受信したビーコン識別情報、及びその受信時刻、並びに採取対象者識別情報を含む採取データをサーバへ送信する人流情報処理システムにおける、前記サーバ用のプログラムであって、
前記採取データを受信して蓄積採取データとして蓄積する処理と、
クライアントコンピュータから人流情報の提供要求を受け付ける処理と、
前記提供要求に応じて、前記蓄積採取データに基づき、１又は複数の採取対象者のエリア間の移動を判定するとともに、前記エリア間を移動した人数を集計することによって、エリア間人流情報を作成する処理と、
を前記サーバに実行させ、前記エリア間人流情報は、前記採取対象者が移動したエリアを表すノードを移動した順に第１方向へ並べるとともにリンクにて結び、かつ複数の採取対象者が互いに別経路で移動したエリアは、前記ノードを前記第１方向と交差する第２方向に並べて表したエリア間人流図データであり、かつ前記リンクの幅が、当該リンクにて結ばれた２つのノードとそれぞれ対応する移動元のエリアから移動先のエリアへの移動人数と比例していることを特徴とする。
【００１１】
前記作成処理が、前記別経路のエリアを表すノードどうしを、対応するエリアへの流入人数又は対応するエリアからの流出人数の大小順に前記第２方向へ配列する処理を含むことが好ましい。
これによって、各エリアの場所的な価値（人通りが多いか少ないか）等を直感的に判断しやすくできる。
【００１２】
前記プログラムが、更に、前記クライアントコンピュータから画面上の任意のエリアを指定したエリア指定情報を受け付ける処理と、
前記エリア指定情報の受け付けに応じて、前記蓄積採取データに基づき、１又は複数の採取対象者の前記指定エリア内におけるサブエリア間の移動を判定するとともに、前記サブエリア間を移動した人数を集計することによって、指定エリア内人流情報を作成する処理と、
を前記サーバに実行させ、前記指定エリア内人流情報は、前記採取対象者が移動したサブエリアを表すサブノードを移動した順に前記第１、第２方向のうち一方の方向へ並べるとともにサブリンクにて結び、かつ複数の採取対象者が互いに別経路で移動したサブエリアは、前記サブノードを前記第１、第２方向のうち他方の方向に並べて表した指定エリア内人流図データであり、かつ前記サブリンクの幅が、当該サブリンクにて結ばれた２つのサブノードとそれぞれ対応する移動元のサブエリアから移動先のサブエリアへの移動人数と比例していることが好ましい。
これによって、指定エリア内において、どのくらいの人数がどのような経路で移動しているのかの人流情報を全体的又は直感的に把握することができる。
【００１３】
前記プログラムが、前記クライアントコンピュータから画面上の任意のリンクを指定したリンク指定情報を受け付ける処理と、
前記リンク指定情報の受け付けに応じて、前記蓄積採取データに基づき、前記指定リンクと対応する移動元エリアの１又は複数の出入部から、移動先エリアの１又は複数の出入部への、１又は複数の採取対象者の移動を判定するとともに、前記出入部間を移動した人数を集計することによって、指定エリア間人流情報を作成する処理と、
を前記サーバに更に実行させ、前記指定エリア間人流情報は、前記移動元エリアの出入部を表す移動元出入部ノードと、前記移動先エリアの出入部を表す移動先出入部ノードとを前記第１、第２方向のうち一方の方向に離して配置するとともに出入部間リンクにて結び、かつ複数の移動元出入部ノードは前記第１、第２方向のうち他方の方向に並べるとともに複数の移動先出入部ノードは前記他方の方向に並べて表した指定エリア間人流図データであり、かつ前記出入部間リンクの幅が、当該出入部間リンクにて結ばれた２つの出入部ノードとそれぞれ対応する移動元エリアの出入部から移動先エリアの出入部への移動人数と比例していることが好ましい。
これによって、指定エリア間を、どのくらいの人数がどのような経路で移動しているのかの人流情報を全体的又は直感的に把握することができる。
【発明の効果】
【００１４】
本発明によれば、大型商業施設等の採取対象領域内において、どのくらいの人数がどのような経路で移動しているのかの人流情報を全体的又は直感的に把握することができる。
【図面の簡単な説明】
【００１５】
【図１】図１は、本発明の第１実施形態を示し、人流情報処理システムの概略構成を示す解説図である。
【図２】図２は、上記人流情報処理システムのハードウェア構成を示す解説図である。
【図３】図３は、上記人流情報処理システムの携帯通信端末の採取データベースのデータ構造を概念的に例示した表である。
【図４】図４は、上記人流情報処理システムのサーバのビーコン位置データベースのデータ構造を概念的に例示した表である。
【図５】図５は、上記サーバの採取対象者データベースのデータ構造を概念的に例示した表である。
【図６】図６は、上記サーバの蓄積採取データベースのデータ構造を概念的に例示した表である。
【図７】図７は、上記人流情報処理システムのビーコン電波発信工程〜蓄積採取データの蓄積工程までの処理の内容を示すフローチャートである。
【図８】図８は、上記人流情報処理システムの基本モードにおける、人流情報提供要求工程〜人流情報表示工程までの処理の内容を示すフローチャートである。
【図９】図９は、図８の人流情報作成工程のサブルーチンを示すフローチャートである。
【図１０】図１０は、人流情報作成の過程で得られるエリア間移動順情報のデータ構造を概念的に例示した表である。
【図１１】図１１は、人流情報作成の過程で得られるエリア間移動人数情報のデータ構造を概念的に例示した表である。
【図１２】図１２は、人流情報を受信したクライアントコンピュータの閲覧ソフトによって表示されるエリア間人流図の閲覧画像の一例を示す図である。
【図１３】図１３は、上記人流情報処理システムによる指定エリア内人流分析モードにおける、エリア指定工程〜指定エリア内人流情報表示工程までの処理の内容を示すフローチャートである。
【図１４】図１４は、図１３の指定エリア内人流情報作成工程のサブルーチンを示すフローチャートである。
【図１５】図１５は、指定エリア内人流情報作成の過程で得られるサブエリア間移動順情報のデータ構造を概念的に例示した表である。
【図１６】図１６は、指定エリア内人流情報作成の過程で得られるサブエリア間移動人数情報のデータ構造を概念的に例示した表である。
【図１７】図１７は、指定エリア内人流情報を受信したクライアントコンピュータの閲覧ソフトによって表示される指定エリア内人流図の閲覧画像の一例を示す図である。
【図１８】図１８は、上記人流情報処理システムによる指定エリア間人流分析モードにおける、リンク指定工程〜指定エリア間人流情報表示工程までの処理の内容を示すフローチャートである。
【図１９】図１９は、図１８の指定エリア間人流情報作成工程のサブルーチンを示すフローチャートである。
【図２０】図２０は、指定エリア間人流情報作成の過程で得られる指定エリア出入部間移動人数情報のデータ構造を概念的に例示した表である。
【図２１】図２１は、指定エリア間人流情報を受信したクライアントコンピュータの閲覧ソフトによって表示される指定エリア間人流図の閲覧画像の一例を示す図である。
【発明を実施するための形態】
【００１６】
以下、本発明の一実施形態を説明する。
図１は、人流情報処理システム１を示したものである。人流情報処理システム１は、採取対象領域３内における人流情報の採取、提供等の処理を行なう。採取対象領域３は、例えば大型商業施設（ショッピングモール、ショッピングセンター等を含む）であり、１又は複数の館３ａ（又は棟）を含む。各館３ａが、１又は複数のフロア３ｆ（階）を有している。この実施形態では、説明を簡単にするために、各館３ａの各フロア３ｆが、１つのエリア３ｅとして設定されている。もちろん、1つのフロア３ｆに複数のエリア３ｅが設定されていてもよい。そして、フロア３ｆ（エリア３ｅ）の出入部、店舗、ブース、ゾーン等ごとにサブエリア３ｇが設定されている。フロア３ｆ（エリア３ｅ）の出入部としては、外部への出入り口、駐車場への出入り口、階段の始点・終点、エレベータの扉前、エスカレータの乗り降り部、連絡ブリッジ３ｃの両端部等が挙げられる。
【００１７】
人流情報処理システム１は、複数のビーコン１０と、１又は複数の携帯通信機器２０と、サーバ３０と、クライアントコンピュータ７とによって構築される。ビーコン１０は採取対象領域３に設置されている。携帯通信機器２０は、来店客等の採取対象者２が携帯している。サーバ３０は、システム１の管理者が管理している。クライアントコンピュータ７は、採取対象領域３の管理者等がサーバ３０とのアクセスに用いるコンピュータである。携帯通信機器２０とサーバ３０とは、通信ネットワーク６を介して通信可能である。また、サーバ３０とクライアントコンピュータ７は、通信ネットワーク６を介して通信可能である。通信ネットワーク６は、基地局やインターネット回線を含む。
【００１８】
詳述すると、図２に示すように、ビーコン１０は、発信回路１１及び電池１２を内蔵した小型発信モジュールである。発信回路１１から例えばブルートゥース（Bluetooth (登録商標）)規格に基づく２．４ＧＨｚ帯のビーコン電波１３が発信される。このビーコン電波１３が、発信元のビーコン１０の識別情報（ビーコンＩＤ）を表す。ビーコン識別情報は、ビーコン１０毎に互いに異なる。
【００１９】
ビーコン電波１３は、極めて微弱であり、その有効到達領域は、ＷｉＦｉ電波と比べて極めて狭く、半径数ｍ〜数十ｍ程度であり、好ましくは半径数ｍ（２ｍ、３ｍ）〜十ｍ程度である。ここで、有効到達領域とは、携帯通信機器２０がビーコン１０からの電波１３を受信して処理可能な領域であり、ビーコン１０の設置場所周辺の構造物の有無等によって増減する。複数のビーコン１０からのビーコン電波１３の有効到達範囲は、互いに重なっていてもよく、重なっていなくてもよい。ビーコン電波１３の発信周期は、例えば０．０２秒〜１０秒程度である。
【００２０】
図１に示すように、ビーコン１０は、採取対象領域３内の各館３ａ、各フロア３ｆの各所（エリア３ｅ及びサブエリア３ｇ等）に設置されている。好ましくは、ビーコン１０は、採取対象者２のエリア３ｅ間及びサブエリア３ｇ間の移動情報を取得し、ひいては人流情報を取得するのに必要最小限の場所に設定される。すなわち、各ビーコン１０は、他のビーコン１０と協働して、採取対象者２が或る移動元エリア３ｅからどの移動先エリア３ｅへ移動したかを判定するのに必要最小限の位置に配置されることが好ましい。更には、各ビーコン１０は、他のビーコン１０と協働して、採取対象者２が各エリア３ｅ内において或る移動元サブエリア３ｇからどの移動先サブエリア３ｇへ移動したかを判定するのに必要最小限の位置に配置されることが好ましい。
「或る位置」にビーコン１０が設けられていると仮定し、そのビーコン１０が無くても、それ以外の１又は複数のビーコン１０によって、エリア３ｅ，３ｅ間の人の移動又はサブエリア３ｇ，３ｇ間の人の移動が判定可能である場合には、前記「或る位置」にはビーコン１０を設ける必要が無い。
【００２１】
携帯通信機器２０は、例えばスマートフォンにて構成されている。図２に示すように、携帯通信機器２０は、ＣＰＵ２１、ネットワーク通信部２２、タッチパネルディスプレイ２３、ブルートゥース通信部２４、内蔵メモリ２５などを有している。ブルートゥース通信部２４によって、ビーコン１０からのビーコン電波１３すなわちビーコン識別情報が受信される。
【００２２】
内蔵メモリ２５には、人流情報処理アプリ２６、及び採取データベース２７等が格納されている。人流情報処理アプリ２６は、携帯通信機器２０が、人流情報処理における当該携帯通信機器２０の担当部分を実行するためのプログラムである。図３に例示するように、採取データベース２７には、受信したビーコン識別情報、及びそのビーコン識別情報の受信時刻の情報が、採取対象者識別情報と紐付けられて記憶される。これら受信したビーコン識別情報及び受信時刻情報、並びに採取対象者識別情報によって、採取データが構成される。
【００２３】
採取対象者識別情報としては、各採取対象者２（携帯通信機器２０の所持者）に割り振られたユーザーＩＤや、携帯通信機器２０の識別情報（電話番号やＭＡＣアドレス等）が含まれる。１つの携帯通信機器２０を１人の採取対象者２だけが使う場合は、ユーザーＩＤと携帯通信機器２０の識別情報とは等価であり、何れか一方の識別情報があればよい。１つの携帯通信機器２０を複数の採取対象者２に順次貸与して携行してもらう場合は、携行者が変わるごとにユーザーＩＤを上書きする。
【００２４】
図２に示すように、サーバ３０は、ＣＰＵ３１、通信インターフェース３２、記憶装置３３などを含む。記憶装置３３には、人流情報処理プログラム３４、ビーコン位置データベース３７、採取対象者データベース３８、及び蓄積採取データベース３９等が格納されている。人流情報処理プログラム３４は、サーバ３０が人流情報処理における当該サーバ３０の担当部分を実行するためのプログラムである。人流情報処理プログラム３４は、人流図データ作成プログラム３５を含む。人流図データ作成プログラム３５は、例えばサンキーダイアグラム形式の図表をブラウザ上で描画するためのソースコードをJavaScript（登録商標）等のプログラム言語によって作成する。
【００２５】
図４に例示するように、ビーコン位置データベース３７は、各ビーコン１０の識別情報と位置情報とを紐付けたテーブルである。ビーコン位置情報は、そのビーコン１０を配置した館３ａ、フロア３ｆ（エリア３ｅ）、及びフロア３ｆ（エリア３ｅ）内の位置（サブエリア３ｇ）をそれぞれ特定する情報を含む。すなわち、ビーコン位置情報は、館情報、フロア情報、サブエリア情報を含む。館情報及びフロア情報によって、エリア情報が構成される。
【００２６】
図５に例示するように、採取対象者データベース３８には、採取対象者２ごとに、その識別情報と属性情報とが登録されている。属性情報としては、例えば年齢又は生年月日、性別コード、職業コード等が挙げられる。属性情報として、その他の種々の情報が含まれていてもよい。
【００２７】
図６に例示するように、蓄積採取データベース３９には、各携帯通信機器２０からの採取データが蓄積採取データとして蓄積される。すなわち、蓄積採取データベース３９には、受信した採取対象者識別情報と、受信したビーコン識別情報と、受信時刻情報とが格納される。
【００２８】
人流情報処理システム１による人流情報処理方法を、図７〜図９のフローチャートにしたがって説明する。
＜発信工程＞
図７のフローチャートに示すように、採取対象領域３内の複数のビーコン１０は、それぞれビーコン電波１３を所定の周期で発信している（ステップ１０１）。
【００２９】
＜ビーコン電波受信工程〜採取工程＞
採取対象者２が携帯通信機器２０を携行して採取対象領域３に入ると、最寄りのビーコン１０からのビーコン電波１３を携帯通信機器２０が受信する。これによって、携帯通信機器２０の人流情報処理アプリ２６がアクティブになり、採取データの採取を開始する。以後、携帯通信機器２０は、任意のビーコン１０からビーコン電波１３を受信する度に（ステップ１０２）、そのビーコン電波１３からビーコン識別情報を復号する。そして、該ビーコン識別情報と、その受信時刻とを、採取データとして内蔵メモリの採取データベース２７に記憶する（ステップ１０３）。採取対象者２が採取対象領域３内を移動すると、携帯通信機器２０が、その移動先に応じた別のビーコン１０からのビーコン識別情報を受信し、新たな採取データとして採取データベース２７に記憶する。
【００３０】
＜送信工程＞
携帯通信機器２０は、あるタイミングで採取データを通信ネットワーク６経由でサーバ３０へ送信する（ステップ１０４）。送信のタイミングは、所定の時間間隔置きであってもよく、採取データの量が所定に達する都度であってもよく、ビーコン電波１３を受信する度であってもよい。人流情報処理アプリ２６の表示画面に送信ボタンを設けておき、この送信ボタンの操作に応じて、採取データが送信されるようにしてもよい。或いは、人流情報処理アプリ２６のシャットダウン時に、採取データが送信されるようにしてもよい。
【００３１】
＜採取データ受信工程＞
サーバ３０が、上記の採取データを受信する（ステップ１０５）。更に、サーバ３０（蓄積手段）は、これを蓄積採取データとして蓄積採取データベース３９に蓄積する（ステップ１０６）。
【００３２】
＜人流情報提供要求工程＞
図８のフローチャートに示すように、採取対象領域３の管理者等は、クライアントコンピュータ７を用いてサーバ３０にアクセスすることによって、人流情報の提供を要求できる（ステップ１１０）。詳細な図示は省略するが、クライアントコンピュータ７の閲覧ソフト（ブラウザ）の画面には、人流情報処理システム１の閲覧画像が表示される。この閲覧画像には、得たい人流情報の範囲を設定する設定欄が設けられている。設定項目としては、期間や属性が挙げられる。例えば、ある期間中の人流情報の提供を要求したり、ある属性（例えば性別、年齢層等）に属する採取対象者２の人流情報の提供を要求したりすることができる。期間及び性別等、複数の項目を設定することもできる。
上記閲覧ソフトとしては、一般に配布されているインターネット閲覧ソフトや、当該人流情報処理システム１専用の閲覧ソフトなどが用いられる。
【００３３】
＜要求受付工程＞
サーバ３０（作成手段）は、人流情報処理プログラム３４の作動によって、クライアントコンピュータ７から提供要求を通信ネットワーク６経由で受け付ける（ステップ１１１）。
＜エリア間人流情報作成工程＞
この提供要求に応じて、サーバ３０は人流情報の作成を行う（ステップ１１２）。基本モードないしは初期モードでは、エリア３ｅ，３ｅ間の人流情報を作成する。
【００３４】
＜抽出工程＞
詳細には、図９のサブルーチンフローチャートに示すように、サーバ３０は、蓄積採取データベース３９（図６）から必要な蓄積採取データを抽出する（ステップ１２１）。
上記人流情報提供要求（ステップ１１０）において期間が指定されたときは、その指定期間に対応する蓄積採取データを抽出する。要するに、受信時刻情報が指定期間内に入っている蓄積採取データを抽出する。
性別、年齢層等の属性が指定されたときは、蓄積採取データベース３９（図６）の採取対象者識別情報と、採取対象者データベース３８（図５）の属性情報とを照らし合わせることで、指定属性に対応する蓄積採取データを抽出する。
【００３５】
＜エリア間移動判定工程＞
次に、サーバ３０は、抽出した蓄積採取データに基づいて、各採取対象者２のエリア３ｅ，３ｅ間の移動を判定する（ステップ１２２）。すなわち、蓄積採取データ（図６）と、ビーコン位置データ（図４）とによって、各採取対象者２が、或る時刻にどのエリア３ｅに居たかが推定できる。この居場所の時系列データによって、各採取対象者２が或る移動元エリア３ｅから別の移動先エリア３ｅへ移動したことが判別できる。ひいては、図１０に例示するように、各採取対象者２がエリア３ｅ，３ｅ…をどの順番で訪問したかのエリア間移動順情報が得られる（ステップ１２３）。
【００３６】
なお、図１０において、「第１訪問エリア」は、各採取対象者２が、採取対象領域３において最初に訪れたエリア３ｅを示す。「第２訪問エリア」は、二番目に訪れたエリア３ｅを示す。「第３訪問エリア」は、三番目に訪れたエリア３ｅを示す。
【００３７】
＜集計工程＞
図９に示すように、次に、サーバ３０は、２つのエリア３ｅ，３ｅ間を移動した人数を集計する（ステップ１２４）。詳しくは、上記エリア間移動順情報（図１０）に基づいて、或る移動元エリア３ｅから或る移動先エリア３ｅへ移動した採取対象者２の数を集計する。集計は、各採取対象者２が施設３に入って以降のエリア３ｅ，３ｅ間の移動回数ごとに行うことが好ましい。
【００３８】
例えば、第１訪問エリアから第２訪問エリアへの移動を移動回数１回目として、この１回目の移動元エリア３ｅ（第１訪問エリア）と移動先エリア３ｅ（第２訪問エリア）が共に一致している採取対象者識別情報（例えば図１０の網掛け部）の数をカウントする。また、第２訪問エリアから第３訪問エリアへの移動を移動回数２回目として、この２回目の移動元エリア３ｅ（第２訪問エリア）と移動先エリア３ｅ（第３訪問エリア）が共に一致している採取対象者識別情報の数をカウントする。要するに、移動回数ｎ回目の移動元エリア３ｅ（第ｎ訪問エリア）と移動先エリア３ｅ（第ｎ＋１訪問エリア）が共に一致している採取対象者識別情報の数をカウントする（ｎは１以上の整数）。
【００３９】
これによって、エリア間移動人数情報が得られる（ステップ１２５）。図１１に例示するように、エリア間移動人数情報は、移動回数ごとに移動元エリア３ｅの情報と、移動先エリア３ｅの情報と、移動人数の情報とを含む。
【００４０】
＜エリア間人流図データ作成工程＞
次に、サーバ３０は、人流図データ作成プログラム３５によって、エリア間人流図データ（人流情報）を作成する（ステップ１２６）。エリア間人流図データは、エリア間人流図４０（図１２）をブラウザ上で表示するためのソースコードで構成されている。このソースコードに、上記エリア間移動人数情報（すなわち移動元エリア情報、移動先エリア情報、及び移動人数情報）を入れ込む。
【００４１】
＜人流情報提供工程＞
図８に示すように、このソースコード（人流情報）を、サーバ３０から通信ネットワーク６経由でクライアントコンピュータ７へ送信（提供）する（ステップ１１３）。
＜人流情報受信工程＞
このソースコード（人流情報）をクライアントコンピュータ７が受信する（ステップ１１４）。
＜人流情報表示工程＞
これによって、クライアントコンピュータ７の閲覧ソフト（ブラウザ）の閲覧画像にエリア間人流図４０が表示される（ステップ１１５）。
【００４２】
＜エリア間人流図４０＞
図１２に示すように、エリア間人流図４０は、エリア３ｅを表わすノード４１と、２つのノード４１，４１間を結ぶリンク４５を含む。各採取対象者２が移動したエリア３ｅに対応するノード４１が、移動した順に画面の横方向（第１方向）に並べられるとともに、リンク４５にて結ばれている。画面の縦方向（第１方向と交差する第２方向）に並べられたノード４１，４１…は、複数の採取対象者２，２…が互いに別経路で移動したエリア３ｅ，３ｅ…を表わしている。これら縦一列のノード４１，４１…どうしは、対応するエリア３ｅへの流入人数、又は対応するエリア３ｅからの流出人数が多い順に上から配列されている。
【００４３】
さらに、リンク４５の幅は、そのリンク４５で結ばれた２つのノード４１，４１とそれぞれ対応する移動元エリア３ｅから移動先エリア３ｅへの移動人数と比例している。つまり、リンク４５が幅広であればある程、対応するエリア３ｅ，３ｅ間の移動人数が多い。
ノード４１の配置及びリンク４５の幅は、上記エリア間移動人数情報（図１１）等を用いて決めることができる。
【００４４】
エリア間人流図４０によれば、採取対象領域３内において、どのくらいの人数がどのような経路でエリア３ｅ，３ｅ…間を移動しているのかの人流情報を全体的に、かつ視覚によって直感的に把握することができる。
リンク４５の幅を移動人数と比例させ、更には人数が多い順に上から配列することで、人通りが多いエリア３ｅか否か等を直感的に判断しやすくでき、マーケティング戦略の立案や、レイアウトの検討等に役立てることができる。
図示は省略するが、クライアントコンピュータ７におけるエリア間人流図４０の表示画面上で、任意のリンク４５にカーソル等のポインタを合わせると、そのリンク４５における移動人数が表示される。
【００４５】
［指定エリア内人流分析モード］
さらに、人流情報処理システム１によれば、エリア３ｅ，３ｅ…間の人流だけでなく、各エリア３ｅ内での人流をも分析できる。
＜エリア指定工程＞
詳しくは、図１３のフローチャートに示すように、クライアントコンピュータ７におけるエリア間人流図４０（図１２）の表示画面上で、任意のノード４１をクリックやタップ等すると、そのノード４１に対応するエリア３ｅの指定情報が、通信ネットワーク６経由でサーバ３０へ送信される（ステップ１３０）。
【００４６】
＜エリア指定受付工程＞
サーバ３０が、このエリア指定情報を受け付ける（ステップ１３１）。
＜指定エリア内人流情報作成工程＞
これに応じて、サーバ３０は、指定されたエリア３ｅ内の人流情報の作成を行う（ステップ１３２）。
【００４７】
＜指定エリア内蓄積採取データ抽出工程＞
詳細には、図１４のサブルーチンフローチャートに示すように、サーバ３０は、蓄積採取データベース３９から必要な蓄積採取データを抽出する（ステップ１４１）。つまり、蓄積採取データベース３９（図６）の受信ビーコン識別情報と、ビーコン位置データベース３７（図４）のエリア情報とを照らし合わせることで、指定エリア３ｅの蓄積採取データを抽出する。
【００４８】
＜指定エリア内移動判定工程＞
次に、サーバ３０は、抽出した指定エリア３ｅの蓄積採取データに基づいて、各採取対象者２の指定エリア３ｅ内での移動を判定する（ステップ１４２）。すなわち、蓄積採取データ（図６）と、ビーコン位置データ（図４）とによって、各採取対象者２が、或る時刻に指定エリア３ｅ内のどのサブエリア３ｇに居たかが推定できる。この居場所の時系列データによって、各採取対象者２が或る移動元サブエリア３ｇから別の移動先サブエリア３ｇへ移動したことが判別できる。ひいては、図１５に例示するように、各採取対象者２が、指定エリア３ｅ内のサブエリア３ｇ，３ｇ…をどの順番で訪問したかのサブエリア間移動順情報が得られる（ステップ１４３）。
【００４９】
なお、図１５において、「第１訪問サブエリア」は、各採取対象者２が、指定エリア３ｅにおいて最初に訪れたサブエリア３ｇを示す。「第２訪問サブエリア」は、二番目に訪れたサブエリア３ｇを示す。「第３訪問サブエリア」は、三番目に訪れたサブエリア３ｇを示す。
【００５０】
＜サブエリア間移動人数集計工程＞
図１４に示すように、次に、サーバ３０は、指定エリア３ｅ内の２つのサブエリア３ｇ，３ｇ間を移動した人数を集計する（ステップ１４４）。詳しくは、上記サブエリア間移動順情報（図１５）に基づいて、指定エリア３ｅ内の或る移動元サブエリア３ｇから或る移動先サブエリア３ｇへ移動した採取対象者２の数を集計する。集計は、各採取対象者２が指定エリア３ｅに入って以降のサブエリア３ｇ，３ｇ間の移動回数ごとに行うことが好ましい。
【００５１】
例えば、第１訪問サブエリアから第２訪問サブエリアへの移動を移動回数１回目として、この１回目の移動元サブエリア３ｇ（第１訪問サブエリア）と移動先サブエリア３ｇ（第２訪問サブエリア）が共に一致している採取対象者識別情報（例えば図１５の網掛け部）の数をカウントする。また、第２訪問サブエリアから第３訪問サブエリアへの移動を移動回数２回目として、この２回目の移動元サブエリア３ｇ（第２訪問サブエリア）と移動先サブエリア３ｇ（第３訪問サブエリア）が共に一致している採取対象者識別情報の数をカウントする。要するに、移動回数ｎ回目の移動元サブエリア３ｇ（第ｎ訪問サブエリア）と移動先サブエリア３ｇ（第ｎ＋１訪問サブエリア）が共に一致している採取対象者識別情報の数をカウントする（ｎは１以上の整数）。
【００５２】
これによって、指定エリア３ｅにおけるサブエリア間移動人数情報が得られる（ステップ１４５）。図１６に例示するように、サブエリア間移動人数情報は、移動回数ごとに移動元サブエリア３ｇの情報と、移動先サブエリア３ｇの情報と、移動人数の情報とを含む。
【００５３】
＜指定エリア内人流図データ作成工程＞
次に、サーバ３０は、人流図データ作成プログラム３５によって、指定エリア内人流図データ（指定エリア内人流情報）を作成する（ステップ１４６）。指定エリア内人流図データは、指定エリア内人流図５０（図１７）をブラウザ上で表示するためのソースコードで構成されている。このソースコードに、上記サブエリア間移動人数情報（すなわち移動元サブエリア情報、移動先サブエリア情報、及び移動人数情報）を入れ込む。
【００５４】
＜指定エリア内人流情報提供工程＞
図１３に示すように、このソースコード（指定エリア内人流情報）を、サーバ３０から通信ネットワーク６経由でクライアントコンピュータ７へ送信（提供）する（ステップ１３３）。
＜指定エリア内人流情報受信工程＞
このソースコード（指定エリア内人流情報）をクライアントコンピュータ７が受信する（ステップ１３４）。
＜指定エリア内人流情報表示工程＞
これによって、クライアントコンピュータ７の閲覧ソフト（ブラウザ）の閲覧画像に指定エリア内人流図５０が表示される（ステップ１３５）。
【００５５】
＜指定エリア内人流図５０＞
図１７に示すように、指定エリア内人流図５０は、指定エリア３ｅ内のサブエリア３ｇを表わすサブノード５１と、２つのサブノード５１，５１間を結ぶサブリンク５５を含む。各採取対象者２が移動したサブエリア３ｇに対応するサブノード５１が、移動した順に画面の横方向（第１方向）に並べられるとともに、サブリンク５５にて結ばれている。画面の縦方向（第２方向）に並べられたサブノード５１，５１…は、複数の採取対象者２，２…が互いに別経路で移動したサブエリア３ｇ，３ｇ…を表わしている。これら縦一列のサブノード５１，５１…どうしは、対応するサブエリア３ｇへの流入人数、又は対応するサブエリア３ｇからの流出人数が多い順に上から配列されている。
【００５６】
さらに、サブリンク５５の幅は、そのサブリンク５５で結ばれた２つのサブノード５１，５１とそれぞれ対応する移動元サブエリア３ｇから移動先サブエリア３ｇへの移動人数と比例している。つまり、サブリンク５５が幅広であればある程、対応するサブエリア３ｇ，３ｇ間の移動人数が多い。
サブノード５１の配置及びサブリンク５５の幅は、上記サブエリア間移動人数情報（図１６）等を用いて決めることができる。
【００５７】
指定エリア内人流図５０によれば、指定エリア３ｅにおいて、どのくらいの人数がどのような経路で移動しているのかの指定エリア内人流情報を全体的に、かつ視覚によって直感的に把握することができる。
サブリンク５５の幅を移動人数と比例させ、更には人数が多い順に上から配列することで、指定エリア３ｅ内のどこが人通りが多い場所か等を直感的に判断しやすくでき、マーケティング戦略の立案や、レイアウトの検討等に役立てることができる。
図示は省略するが、クライアントコンピュータ７における指定エリア内人流図５０の表示画面上で、任意のリンク５５にカーソル等のポインタを合わせると、そのリンク５５における移動人数が表示される。
【００５８】
［指定エリア間人流分析モード］
さらに、人流情報処理システム１によれば、特定のエリア３ｅ，３ｅ間の詳細な人流をも分析できる。
【００５９】
＜リンク指定工程＞
図１８のフローチャートに示すように、クライアントコンピュータ７におけるエリア間人流図４０（図１２）の表示画面上で、任意のリンク４５をクリックやタップ等すると、そのリンク４５の指定情報が、通信ネットワーク６経由でサーバ３０へ送信される（ステップ１５０）。
【００６０】
＜エリア間指定情報受付工程＞
サーバ３０が、このエリア間指定情報を受け付ける（ステップ１５１）。
＜指定エリア間人流情報作成工程＞
これに応じて、サーバ３０は、指定リンク４５で結ばれたノード４１，４１と対応する指定エリア３ｅ，３ｅ間の人流情報の作成を行う（ステップ１５２）。
【００６１】
＜指定エリア間蓄積採取データ抽出工程＞
詳細には、図１９のサブルーチンフローチャートに示すように、サーバ３０は、蓄積採取データベース３９から必要な蓄積採取データを抽出する（ステップ１６１）。つまり、蓄積採取データベース３９（図６）の受信ビーコン識別情報と、ビーコン位置データベース３７（図４）とを照らし合わせることで、指定リンク４５に関連する指定エリア３ｅ，３ｅの蓄積採取データを抽出する。更には、指定エリア３ｅ，３ｅの出入部を表わす蓄積採取データを抽出してもよい。
【００６２】
＜指定エリア間移動判定工程＞
次に、サーバ３０は、抽出した指定エリア３ｅ，３ｅの蓄積採取データに基づいて、各採取対象者２の指定エリア３ｅ，３ｅ間の移動を判定する（ステップ１６２）。すなわち、蓄積採取データ（図６）と、ビーコン位置データ（図４）とによって、各採取対象者２が、或る時刻にどのエリア３ｅに居たかが推定できる。この居場所の時系列データによって、各採取対象者２が、指定エリア３ｅ，３ｅのうち、移動元エリアのどの出入部から、移動先エリアのどの出入部へ移動したかを判別できる。
【００６３】
＜出入部間移動人数集計工程＞
さらに、サーバ３０は、移動元エリアの各出入部から移動先エリアの各出入部へ移動した人数を集計する（ステップ１６３）。これによって、指定エリア出入部間移動人数情報が得られる（ステップ１６４）。図２０に示すように、指定エリア出入部間移動人数情報は、移動元エリアの出入部情報と、移動先エリアの出入部情報と、移動人数の情報とを含む。
【００６４】
＜指定エリア間人流図データ作成工程＞
次に、サーバ３０は、人流図データ作成プログラム３５によって、指定エリア間人流図データ（指定エリア間人流情報）を作成する（ステップ１６５）。指定エリア間人流図データは、指定エリア間人流図６０（図２１）をブラウザ上で表示するためのソースコードで構成されている。このソースコードに、上記指定エリア出入部間移動人数情報（すなわち移動元エリアの出入部情報、移動先エリアの出入部情報、及び移動人数情報）を入れ込む。
【００６５】
＜指定エリア間人流情報提供工程＞
図１８に示すように、このソースコード（指定エリア間人流情報）を、サーバ３０から通信ネットワーク６経由でクライアントコンピュータ７へ送信（提供）する（ステップ１５３）。
＜指定エリア間人流情報受信工程＞
このソースコード（指定エリア間人流情報）をクライアントコンピュータ７が受信する（ステップ１５４）。
＜指定エリア間人流情報表示工程＞
これによって、クライアントコンピュータ７の閲覧ソフト（ブラウザ）の閲覧画像に指定エリア間人流図６０が表示される（ステップ１５５）。
【００６６】
＜指定エリア間人流図６０＞
図２１に示すように、指定エリア間人流図６０は、移動元出入部ノード６１と、移動先出入部ノード６２と、出入部間リンク６５を有している。移動元出入部ノード６１は、移動元の指定エリア３ｅの出入部を表わす。移動先出入部ノード６２は、移動先の指定エリア３ｅの出入部を表わす。これらノード６１，６２が横方向（第１方向）に離して配置されている。移動元出入部ノード６１，６１…どうしは、上から流出人数が多い順に縦方向（第２方向）に並べられている。同様に、移動先出入部ノード６２，６２…どうしは、上から流入人数が多い順に縦方向（第２方向）に並べられている。
【００６７】
各採取対象者２が移動した移動元出入部と移動先出入部に対応するノード６１，６２どうしが出入部間リンク６５にて結ばれている。出入部間リンク６５の幅は、対応する移動元出入部から移動先出入部への移動人数と比例している。つまり、出入部間リンク６５が幅広であればある程、対応する出入部間の移動人数が多い。
出入部ノード６１，６２の配置及びリンク６５の幅は、上記指定エリア出入部間移動人数情報（図２０）等を用いて決めることができる。
【００６８】
指定エリア間人流図６０によれば、指定された移動元エリアのどの出入部から、どのくらいの人数が、移動先エリアのどの出入部へ移動しているのかの人流情報を全体的に、かつ視覚によって直感的に把握することができる。
リンク６５の幅を移動人数と比例させ、更には人数が多い順に上から配列することで、指定エリア３ｅ，３ｅ間をどのように移動する人が多いのか等を直感的に判断しやすくでき、マーケティング戦略の立案や、レイアウトの検討等に役立てることができる。
図示は省略するが、クライアントコンピュータ７における指定エリア間人流図６０の表示画面上で、任意のリンク６５にカーソル等のポインタを合わせると、そのリンク６５における移動人数が表示される。
【００６９】
本発明は、上記実施形態に限られず、その趣旨を逸脱しない範囲内で種々の改変をなすことができる。
例えば、エリア間人流図４０（図１２）の縦一列のノード４１，４１…どうしは、対応するエリア３ｅへの流入人数又は流出人数が少ない順に上から配列されていてもよい。指定エリア内人流図５０（図１７）及び指定エリア間人流図６０（図２１）においても同様である。
【００７０】
１つのフロア３ｆに複数のエリア３ｅが設定されていてもよい。つまり、１つのフロア３ｆの出入部、店舗、ブース、ゾーン等ごとにエリア３ｅが設定されていてもよい。出入部、店舗、ブース、ゾーン等を細分した区域ごとにサブエリア３ｇが設定されていてもよい。
或いは、１つの館３ａ（又は棟）が１つのエリア３ｅであってもよい。１つのフロア３ｆが１つのサブエリア３ｇであってもよい。
サーバ３０が、人流情報として人流図４０，５０，６０のイメージデータを作成してもよい。サーバ３０からクライアントＰＣ７へ送る人流図データ（人流情報）は、ソースコードに限られず、人流図４０，５０，６０のイメージデータであってもよい。
「第１方向」が、閲覧画面の縦方向であってもよく、「第２方向」が、閲覧画面の横方向であってもよい。つまり、エリア間人流図４０（図１２）において、採取対象者２が移動したエリア３ｅを表すノード４１を移動順に縦方向に並べてもよい。指定エリア内人流図５０（図１７）及び指定エリア間人流図６０（図２１）においても同様である。要するに、人流図４０，５０，６０を、図１２，図１７，図２１に対して９０°回転させた表示にしてもよい。
クライアントＰＣ７側の操作によって、人流図４０，５０，６０のノード４１，５１，６１，６２を移動順に画面の横方向に並べるか縦方向に並べるかを選択できるようにしてもよく、人流図４０，５０，６０ごとに横方向に並べるか縦方向に並べるかを選択できるようにしてもよい。
【００７１】
さらに、人流情報処理システム１が、蓄積採取データを用いて人流図以外の統計情報を提供できるようにしてもよい。例えば、特定のエリア３ｅ又はサブエリア３ｇを通過した採取対象者２の属性（性別、年代別等）を円グラフ等で表示できるようにしてもよい。
採取対象領域３は、大型商業施設に限られず、小型店舗、アミューズメント施設、並びにこれらの付帯施設である駐車場、また工場、倉庫等であってもよい。
【産業上の利用可能性】
【００７２】
本発明は、例えば、大型商業施設や小売店舗において来店客の行動傾向を把握するための人流情報処理システムに適用可能である。
【符号の説明】
【００７３】
１        人流情報処理システム
２        採取対象者
３        大型商業施設（採取対象領域）
３ｅ      エリア
３ｇ      サブエリア
１０      ビーコン
２０      携帯通信機器
３０      サーバ
４０      エリア間人流図（人流情報）
４１      ノード
４５      リンク
５０      指定エリア内人流図（指定エリア内人流情報）
５１      サブノード
５５      サブリンク
６０      指定エリア間人流図（人流情報）
６１      移動元出入部ノード
６２      移動先出入部ノード
６５      出入部間リンク
【図１】
2016212746.tif 000003
【図２】
2016212746.tif 000004
【図３】
2016212746.tif 000005
【図４】
2016212746.tif 000006
【図５】
2016212746.tif 000007
【図６】
2016212746.tif 000008
【図７】
2016212746.tif 000009
【図８】
2016212746.tif 000010
【図９】
2016212746.tif 000011
【図１０】
2016212746.tif 000012
【図１１】
2016212746.tif 000013
【図１２】
2016212746.tif 000014
【図１３】
2016212746.tif 000015
【図１４】
2016212746.tif 000016
【図１５】
2016212746.tif 000017
【図１６】
2016212746.tif 000018
【図１７】
2016212746.tif 000019
【図１８】
2016212746.tif 000020
【図１９】
2016212746.tif 000021
【図２０】
2016212746.tif 000022
【図２１】
2016212746.tif 000023